(57)【要約】【課題】発電監視制御システムに既設された計算機およびＰＩＯ装置を新たな計算機およびＰＩＯ装置に取り替えるにあたり、発電監視制御システムの運転停止時間を短縮する。【解決手段】既設の発電監視制御システム１は、既設計算機１１０、既設ＰＩＯ盤１２０および現場機器１３０を備え、既設ＰＩＯ盤１２０は、配線１２３により接続された既設ＰＩＯ装置１２１および端子台１２２を有する。既設計算機１１０および既設ＰＩＯ装置１２１を取り替えるにあたり、新設計算機２１０と新設ＰＩＯ装置２２１とを有する取替ユニット３を用意して（Ｓ１）、新設ＰＩＯ装置２２１に試験装置２７０を接続する（Ｓ２）。試験装置２７０を用いて取替ユニット３の動作確認を行う（Ｓ３）。発電監視制御システム１の運転を停止させる（Ｓ４）。配線１２３を既設ＰＩＯ装置１２１から取り外し（Ｓ５）、新設ＰＩＯ装置２２１に接続する（Ｓ６）。【選択図】図１
2010267057.tif 000002
【特許請求の範囲】
【請求項１】
現場機器からの機器情報の表示処理および操作者からの操作情報の入力処理を行う既設計算機と、
既設ネットワークを介して前記既設計算機に接続されて前記既設計算機と前記現場機器との相互間の前記機器情報または前記操作情報を示す信号の入出力を制御する既設ＰＩＯ装置と、
前記現場機器から延びた外線ケーブルが接続された端子台と、
前記既設ＰＩＯ装置と前記端子台とを接続している配線と、
を備えた発電監視制御システムの前記既設計算機および前記既設ＰＩＯ装置をそれぞれ新設計算機および新設ＰＩＯ装置に取り替える発電監視制御システムの機器取替方法であって、
新設ネットワークを介して接続された前記新設計算機と前記新設ＰＩＯ装置とを有する取替ユニットの前記新設ＰＩＯ装置に試験装置を接続する第１接続工程と、
前記第１接続工程の後に前記試験装置を用いて前記取替ユニットの動作確認を行う確認工程と、
前記確認工程の後に前記発電監視制御システムの運転を停止させる運転停止工程と、
前記運転停止工程の後に前記配線を前記既設ＰＩＯ装置から取り外し前記新設ＰＩＯ装置に接続する第２接続工程と、
を具備したことを特徴とする発電監視制御システムの機器取替方法。
【請求項２】
前記確認工程において前記試験装置は前記現場機器からの機器情報を模擬的に示す信号を出力することを特徴とする請求項１に記載の発電監視制御システムの機器取替方法。
【請求項３】
前記新設ＰＩＯ装置は変換パネルを有し、前記運転停止工程において前記既設ＰＩＯ装置から取り外した前記既設配線を前記変換パネルに接続することを特徴とする請求項１および２に記載の発電監視制御システムの機器取替方法。
【発明の詳細な説明】
【技術分野】
【０００１】
本発明は、発電所に設置された発電監視制御システムにおいて、既設計算機および既設ＰＩＯ装置をそれぞれ新設計算機および新設ＰＩＯ装置に取り替える方法に関する。
【背景技術】
【０００２】
発電監視制御システムは、計算機、ＰＩＯ盤、表示入力装置、および、現場機器を有する。計算機と現場機器とは、ＰＩＯ盤を介して接続されていて、計算機に接続された表示入力装置により、現場機器の監視および制御を行う。
【０００３】
この発電監視制御システムに既設された計算機およびＰＩＯ盤を新たな計算機およびＰＩＯ装置に取り替える際には、発電監視制御システムの運転を停止した後、既設された計算機およびＰＩＯ盤を撤去する。その後、新たな計算機およびＰＩＯ盤を搬入し、新たなＰＩＯ盤と現場機器とを接続する（例えば、特許文献１を参照）。その後、新たな計算機およびＰＩＯ盤の動作確認を行う。
【先行技術文献】
【特許文献】
【０００４】
【特許文献１】特開平１０−２２８３２９号公報
【発明の概要】
【発明が解決しようとする課題】
【０００５】
しかし、発電監視制御システムの運転の停止後、新設された計算機およびＰＩＯ盤の動作確認を行うと、発電監視制御システムの運転停止時間が長くなってしまう。
【０００６】
そこで、本発明は、上記課題を解決するためになされたものであり、発電監視制御システムに既設された計算機およびＰＩＯ装置を新たな計算機およびＰＩＯ装置に取り替えるにあたり、発電監視制御システムの運転停止時間を短縮することを目的とする。
【課題を解決するための手段】
【０００７】
上記の目的を達成するために、本発明に係る発電監視制御システムの機器取替方法は、現場機器からの機器情報の表示処理および操作者からの操作情報の入力処理を行う既設計算機と、既設ネットワークを介して前記既設計算機に接続されて前記既設計算機と前記現場機器との相互間の前記機器情報または前記操作情報を示す信号の入出力を制御する既設ＰＩＯ装置と、前記現場機器から延びた外線ケーブルが接続された端子台と、前記既設ＰＩＯ装置と前記端子台とを接続している配線とを備えた発電監視制御システムの前記既設計算機および前記既設ＰＩＯ装置をそれぞれ新設計算機および新設ＰＩＯ装置に取り替える発電監視制御システムの機器取替方法であって、新設ネットワークを介して前記新設計算機と前記新設ＰＩＯ装置とが接続された取替ユニットの前記新設ＰＩＯ装置に試験装置を接続する第１接続工程と、前記第１接続工程の後に前記試験装置を用いて前記取替ユニットの動作確認を行う確認工程と、前記確認工程の後に前記発電監視制御システムの運転を停止させる運転停止工程と、前記運転停止工程の後に前記配線を前記既設ＰＩＯ装置から取り外し前記新設ＰＩＯ装置に接続する第２接続工程とを具備したことを特徴とする。
【発明の効果】
【０００８】
本発明によれば、発電監視制御システムに既設された計算機およびＰＩＯ装置を新たな計算機およびＰＩＯ装置に取り替えるにあたり、発電監視制御システムの運転停止時間を短縮できる。
【図面の簡単な説明】
【０００９】
【図１】本発明の実施形態に係る発電監視制御システムの機器取替方法を示すフローチャートである。
【図２】既設の発電監視制御システムを示すブロック図である。
【図３】新設計算機および新設ＰＩＯ装置を有する取替ユニットに試験装置を接続した状態を示すブロック図である。
【図４】機器取替え後の発電監視制御システムを示すブロック図である。
【発明を実施するための形態】
【００１０】
本発明の発電監視制御システムの機器取替方法の実施形態について、図１ないし図４を用いて説明する。図１は、本発明の実施形態に係る発電監視制御システムの機器取替方法を示すフローチャートである。図２は、既設の発電監視制御システムを示すブロック図である。図３は、新設計算機および新設ＰＩＯ装置を有する取替ユニットに試験装置を接続した状態を示すブロック図である。図４は、機器取替え後の発電監視制御システムを示すブロック図である。
【００１１】
まず、機器取替え前の既設の発電監視制御システム１について、図２を用いて説明する。
【００１２】
既設の発電監視制御システム１は、既設計算機１１０、複数の既設ＰＩＯ盤１２０ａ〜１２０ｃ、複数の現場機器１３０ａ〜１３０ｃ、既設表示入力装置（図示しない）を有する。既設計算機１１０は、既設ネットワーク１５０により、複数の既設ＰＩＯ盤１２０ａ〜１２０ｃに接続されている。また、各既設ＰＩＯ盤１２０ａ〜１２０ｃは、それぞれ外線ケーブル１６０ａ〜１６０ｃにより、各現場機器１３０ａ〜１３０ｃに接続されている。
【００１３】
既設計算機１１０は、表示処理部、入力処理部、および、データ記憶部を有する。表示処理部は、既設表示入力装置およびデータ記憶部に接続されていて、現場機器１３０ａからの機器情報を既設表示入力装置の画面に表示させる。入力処理部は、既設表示入力装置およびデータ記憶部に接続されていて、既設表示入力装置の画面からの操作者のタッチ操作に基づく操作情報を入力する。
【００１４】
現場機器１３０ａ〜１３０ｃは、原子力発電所を例にすると、ポンプや制御棒の制御装置、あるいは、計器類などである。例えば、現場機器１３０ａは、ポンプや制御棒の制御に関する操作情報を示す信号（操作信号）を既設ＰＩＯ盤１２０ａから入力し、あるいは、計測値などの機器情報を示す信号（機器信号）を既設ＰＩＯ盤１２０ａに出力する。
【００１５】
既設ＰＩＯ盤１２０ａは、既設ＰＩＯ装置１２１ａ、端子台１２２ａ、および、配線１２３ａを有し、既設ＰＩＯ装置１２１ａと端子台１２２ａとは、配線１２３ａにより接続されている。既設ＰＩＯ装置１２１ａは、既設ネットワーク１４０により既設計算機１１０に接続され、端子台１２２ａは、外線ケーブル１５０ａにより現場機器１３０ａに接続されている。既設ＰＩＯ盤１２０ａは、既設計算機１１０と現場機器１３０ａとの相互間の操作信号および機器信号の入出力を制御する役割を果たす。既設ＰＩＯ盤１２０ｂ，１２０ｃについても、既設ＰＩＯ盤１２０ａと同様である。
【００１６】
次に、本実施形態に係る発電監視制御システムの機器取替方法について説明する。この方法で取替えの対象となる機器は、既設計算機１１０、既設ＰＩＯ装置１２１ａ〜１２１ｃ、および、既設ネットワーク１５０である。
【００１７】
まず、図３に示す取替ユニット３を用意する（Ｓ１）。取替ユニット３は、新設計算機２１０、複数の新設ＰＩＯ装置２２１ａ〜２２１ｃ、既設表示入力装置（図示しない）、および、新設ネットワーク２５０を有する。
【００１８】
新設計算機２１０は、新設ネットワーク２５０により、複数の新設ＰＩＯ装置２２１ａ〜２２１ｃに接続されている。新設計算機２１０は、新設サーバ２１１および新設クライアント２１２を有し、新設クライアントには、新設表示操作装置が接続されている。
【００１９】
新設ＰＩＯ装置２２１ａ〜２２１ｃは、それぞれ変換パネル２２４ａ〜２２４ｃを有する。ここで、後述するとおり、配線１２３ａ〜１２３ｃにより、新設ＰＩＯ装置２２１ａ〜２２１ｃと現場機器１３０ａ〜１３０ｃとが接続されるが、配線１２３ａ〜１２３ｃのコネクタと新設ＰＩＯ装置２２１ａ〜２２１ｃのアダプタとが対応しているとは限らない。そこで、変換パネル２２４ａ〜２２４ｃは、配線１２３ａ〜１２３ｃのコネクタを新設ＰＩＯ装置２２１ａ〜２２１ｃに接続するための変換アダプタの機能を有する。したがって、配線１２３ａ〜１２３ｃのコネクタが新設ＰＩＯ装置２２１ａ〜２２１ｃのアダプタに対応している場合には、変換パネル２２４ａ〜２２４ｃは不要となる。
【００２０】
次に、図３に示すように、試験用ケーブル２７１により、変換パネル２２４ａと試験装置２７０とを接続することにより、新設ＰＩＯ装置２２１ａと試験装置２７０とを接続する（第１接続工程）（Ｓ２）。ここで、試験装置２７０は、現場機器１３０ａ〜１３０ｃが既設ＰＩＯ装置１２１ａ〜１２１ｃに出力する機器信号と同等の模擬的な信号を出力できる。また、試験装置２７０は、新設計算機２１０が現場機器１３０ａ〜１３０ｃに出力する操作信号を入力し、入力確認を行うことができる。
【００２１】
試験装置２７０を接続した後、試験装置２７０により、機器信号と同等の模擬的な試験信号を新設ＰＩＯ装置２２１ａに出力させて、新設表示入力装置の画面より、試験信号に基づく機器情報を確認して、新設計算機２１０および新設ＰＩＯ装置２２１ａの動作確認を行う（確認工程）（Ｓ３）。また、既設表示入力装置の画面でのタッチ操作により、操作情報を新設ＰＩＯ装置２２１ａに出力して、試験装置２７０により、新設計算機２１０および新設ＰＩＯ装置２２１ａの動作確認を行う（確認工程）（Ｓ３）。
【００２２】
同様に、新設ＰＩＯ装置２２１ｂ，２２１ｃと試験装置２７０とを接続し（Ｓ２）、新設計算機２１０および新設ＰＩＯ装置２２１ｂ，２２１ｃの動作確認を行う（Ｓ３）。なお、３台の試験装置をそれぞれ新設ＰＩＯ装置２２１ａ〜２２１ｃに接続して、同時に新設計算機２１０および新設ＰＩＯ装置２２１ａ〜２２１ｃの動作確認を行っても良い。
【００２３】
動作確認の後、既設の発電監視制御システム１の運転を停止する（Ｓ４）。運転の停止後、配線１２３ａ〜１２３ｃを既設ＰＩＯ装置１２１ａ〜１２１ｃから取り外し、既設計算機１１０、既設ＰＩＯ装置１２１ａ〜１２１ｃ、および、既設ネットワーク１５０を撤去する（Ｓ５）。撤去後、配線１２３ａ〜１２３ｃをそれぞれ変換パネル２２４ａ〜２２４ｃに接続することにより、新設ＰＩＯ装置２２１ａ〜２２１ｃと端子台１２２ａ〜１２２ｃとを接続する（第２接続工程）（Ｓ６）。
【００２４】
この接続時に、図４に示すように、新設ＰＩＯ装置２２１ａ〜２２１ｃを既設ＰＩＯ盤１２０ａ〜１２０ｃ内に収納して、機器取替え後の発電監視制御システム２を構築する。機器取替え作業の終了後、機器取替え後の発電監視制御システム２を稼動させる（Ｓ７）。
【００２５】
以下、本実施形態に係る発電監視制御システムの機器取替方法の効果について説明する。
【００２６】
機器取替え後に新設計算機２１０および新設ＰＩＯ装置２２１ａ〜２２１ｃの動作確認を行うのではなく、機器取替え前に取替ユニット３に試験装置２７０を接続して新設計算機２１０および新設ＰＩＯ装置２２１ａ〜２２１ｃの動作確認を行うため、既設の発電監視制御システム１の機器取替え作業による発電監視制御システムの運転停止時間を短縮できる。
【００２７】
また、既設ＰＩＯ盤１２０ａ〜１２０ｃの全体を撤去せず、既設ＰＩＯ盤１２０ａ〜１２０ｃ内の既設ＰＩＯ装置を撤去する。そのため、既設ＰＩＯ盤１２０ａ〜１２０ｃの筐体、端子台１２２ａ〜１２２ｃ、および、配線１２３ａ〜１２３ｃは取替え対象とならず、取替えのコストを削減できる。
【符号の説明】
【００２８】
１…既設の発電監視制御システム、２…機器取替え後の発電監視制御システム、３…取替ユニット、１１０…既設計算機、１２０ａ〜１２０ｃ…既設ＰＩＯ盤、１２１ａ〜１２１ｃ…既設ＰＩＯ装置、１２２ａ〜１２２ｃ…端子台、１２３ａ〜１２３ｃ…配線、１３０ａ〜１３０ｃ…複数の現場機器、１５０…既設ネットワーク、１６０ａ〜１６０ｃ…外線ケーブル、２１０…新設計算機、２２０ａ〜２２０ｃ…新設ＰＩＯ盤、２２１ａ〜２２１ｃ…新設ＰＩＯ装置、２２４ａ〜２２４ｃ…変換パネル、２５０…新設ネットワーク、２７０…試験装置、２７１…試験用ケーブル
【図１】
2010267057.tif 000003
【図２】
2010267057.tif 000004
【図３】
2010267057.tif 000005
【図４】
2010267057.tif 000006